(57)【要約】      （修正有）【課題】電源電極構造を有するフローティングコネクタを提供する。【解決手段】フローティングコネクタ１０は、差込プラグ１２と、差込ソケット１４とを備える。差込プラグは、差込プラグ台座体１２２と、接続ヘッド１２４と、第１信号端子組立体１２６と、第１電源端子組立体１２８と、固定部材１２１０とを有する。差込ソケットは、差込ソケット上筐体１４１と、差込ソケット下筐体１４２と、接続スロット１４４と、第２信号端子組立体１４６と、第２電源端子組立体１４８と、係合部材１４１０と、舌板１４１２とを有する。差込プラグが差込ソケットに差し込まれることで、接続ヘッドと接続スロットとの間に、第１信号端子組立体を第２信号端子組立体に電気的に接続させ、第１電源端子組立体を第２電源端子組立体に電気的に接続させ、電源と信号を伝送する。【選択図】図１
0003231921.tif 000002
【実用新案登録請求の範囲】
【請求項１】
差込プラグと、差込ソケットとを備える電源電極構造を有するフローティングコネクタであって、
前記差込プラグは、差込プラグ台座体と、接続ヘッドと、第１信号端子組立体と、第１電源端子組立体と、固定部材とを有し、前記差込プラグ台座体は前記接続ヘッドと接続されて収容空間が形成され、前記第１信号端子組立体と前記第１電源端子組立体とは、前記収容空間の内壁周縁に設置され、前記第１電源端子組立体は、前記第１信号端子組立体の両側に設置され、前記固定部材は、前記差込プラグ台座体を第１回路板に設置するために供され、
前記差込ソケットは、差込ソケット上筐体と、差込ソケット下筐体と、接続スロットと、第２信号端子組立体と、第２電源端子組立体と、係合部材と、舌板とを有し、前記差込ソケット上筐体と前記差込ソケット下筐体とが接続され、前記接続スロットは、前記接続ヘッドに対応して設置され、前記接続スロットは、前記舌板を収容するために、前記差込ソケット上筐体に形成され、前記第２信号端子組立体と前記第２電源端子組立体とは、前記舌板の両側に設置され、前記係合部材によって前記差込ソケット上筐体を前記差込ソケット下筐体に位置制限させ、また、前記差込ソケット上筐体と前記差込ソケット下筐体との間は、前記第２信号端子組立体を第１方向及び第２方向のうちのいずれか一方向に向けて変形することにより移動させられ、
前記差込プラグが前記差込ソケットに差し込まれることで、前記接続ヘッドと前記接続スロットとの間において、前記第１信号端子組立体を前記第２信号端子組立体に電気的に接続させ、前記第１電源端子組立体を前記第２電源端子組立体に電気的に接続させ、電源と信号を伝送するために用いられることを特徴とする、電源電極構造を有するフローティングコネクタ。
【請求項２】
前記第１信号端子組立体は、第１端と、第２端とをさらに含み、前記第１端は、信号を伝送するために、前記第１回路板に接続されるように供され、
前記第２信号端子組立体は、第３端と、第４端とをさらに含み、前記第３端は、信号を伝送するために、第２回路板に接続されるように供され、
前記第２端は、前記第４端に電気的に接続されることを特徴とする、請求項１に記載の電源電極構造を有するフローティングコネクタ。
【請求項３】
前記第１電源端子組立体は、第５端と、第６端とをさらに含み、前記第５端は、電力を受信するか、または接地されるために、前記第１回路板に接続されるように供され、
前記第２電源端子組立体は、第７端と、第８端とをさらに含み、前記第７端は、第２回路板に接続されるように供され、
前記第６端は、前記第８端に電気的に接続されることを特徴とする、請求項１に記載の電源電極構造を有するフローティングコネクタ。
【請求項４】
前記差込プラグ台座体または前記接続ヘッドには、蓋体を設置するために、さらに係止溝が形成されることを特徴とする、請求項１に記載の電源電極構造を有するフローティングコネクタ。
【請求項５】
前記収容空間において、前記第１電源端子組立体と前記第１信号端子組立体との間は、互いに所定の距離だけ離隔されており、
前記第２電源端子組立体は、前記第１電源端子組立体に対応して設置され、
前記第２信号端子組立体は、前記第１信号端子組立体に対応して設置されることを特徴とする、請求項１に記載の電源電極構造を有するフローティングコネクタ。
【請求項６】
前記差込ソケット下筐体には、前記第２信号端子組立体を位置決めするための信号端子位置決め凹溝が形成され、
前記差込ソケット下筐体には、前記第２電源端子組立体を位置決めするための電源端子位置決め凹溝が形成されることを特徴とする、請求項１に記載の電源電極構造を有するフローティングコネクタ。
【請求項７】
前記係合部材によって前記差込ソケット上筐体を前記差込ソケット下筐体に位置制限させることで、前記差込ソケット下筐体が前記差込ソケット上筐体に相対するフローティング空間を生じさせることを特徴とする、請求項１に記載の電源電極構造を有するフローティングコネクタ。
【考案の詳細な説明】
【技術分野】
【０００１】
本考案は、コネクタの技術分野に係り、特に、信号端子と電源端子とを持つ電源電極構造を有するフローティングコネクタに関するものである。
【背景技術】
【０００２】
伝統的なコネクタは、差込プラグと差込ソケットとを備え、差込プラグと差込ソケットとの接続により、差込プラグは、差込ソケット内の端子と電気的に接続することができ、信号や電源を伝達することができる。
【０００３】
いくつかの適用場面において、差込プラグと差込ソケットとを取り付ける空間が狭小であることに鑑みて、差込プラグと差込ソケットとに電源と信号を設置するようにした。しかしながら、差込プラグと差込ソケットは、電源または信号を同時に伝達するとき、信号が電源による干渉を受ける可能性があり、それが信号の品質に影響を及ぼす要因となっている。なお、接続の過程において、取付け空間の狭小化とコネクタの微型化により受けた影響が原因で、差込プラグと差込ソケットとを接続する際に、正確な位置に揃えて取り付けることが容易ではない。
【０００４】
これに鑑み、本考案は、伝統的なコネクタにより生じる問題または解決できない問題を解決するために、電源電極構造を有するフローティングコネクタを提案する。
【考案の概要】
【考案が解決しようとする課題】
【０００５】
本考案の第１の目的は、差込プラグと差込ソケットとを提供し、差込プラグと差込ソケットとにより簡易に接続できる効果を奏する電源電極構造を有するフローティングコネクタを提供することにある。
【０００６】
本考案の第２の目的は、上記の電源電極構造を有するフローティングコネクタにおいて、同一の収容空間に信号伝達機能と電源伝達機能とを同時に具備できるものを提供することにある。
【０００７】
本考案の第３の目的は、上記の電源電極構造を有するフローティングコネクタにおいて、差込ソケットにはフローティング構造を提供し、差込プラグは差込ソケットへの精密な対応を行う必要がないものを提供することにある。
【０００８】
本考案の第４の目的は、上記の電源電極構造を有するフローティングコネクタにおいて、係止溝を提供して蓋体との接続が図られ、差込プラグと差込ソケットとが接続されていない場合に防塵効果と防水気効果を提供することにある。
【課題を解決するための手段】
【０００９】
上記の目的及びその他の目的を達成するために、本考案は、差込プラグと、差込ソケットとを備える電源電極構造を有するフローティングコネクタを提供する。差込プラグは、差込プラグ台座体と、接続ヘッドと、第１信号端子組立体と、第１電源端子組立体と、固定部材とを有する。差込プラグ台座体は接続ヘッドと接続されて収容空間が形成される。第１信号端子組立体と第１電源端子組立体とは、収容空間の内壁周縁に設置される。第１電源端子組立体は、第１信号端子組立体の両側に設置される。固定部材は、差込プラグ台座体を第１回路板に設置するために供される。差込ソケットは、差込ソケット上筐体と、差込ソケット下筐体と、接続スロットと、第２信号端子組立体と、第２電源端子組立体と、係合部材と、舌板とを有する。差込ソケット上筐体と差込ソケット下筐体とが接続される。接続スロットは、接続ヘッドに対応して設置される。接続スロットは、舌板を収容するために、差込ソケット上筐体に形成される。第２信号端子組立体と第２電源端子組立体とは、舌板の両側に設置される。係合部材によって差込ソケット上筐体を差込ソケット下筐体に位置制限させ、また、差込ソケット上筐体と差込ソケット下筐体との間は、第２信号端子組立体を第１方向及び第２方向のうちのいずれか一方向に向けて変形することにより移動させられる。その内、差込プラグが差込ソケットに差し込まれることで、接続ヘッドと接続スロットとの間に、第１信号端子組立体を第２信号端子組立体に電気的に接続させ、第１電源端子組立体を第２電源端子組立体に電気的に接続させ、電源と信号を伝送するために用いられる。
【考案の効果】
【００１０】
現有の技術に比べて、本考案が提供する電源電極構造を有するフローティングコネクタは、信号と電源とを同時に伝達することができ、かつフローティング構造を同時に提供することで、差込プラグと差込ソケットとの接続を簡易に行うことができる。
【図面の簡単な説明】
【００１１】
【図１】本考案の一実施形態の電源電極構造を有するフローティングコネクタの立体概略図である。
【図２】本考案の図１の差込プラグを説明する上面図である。
【図３】本考案の図１の差込プラグを説明する側面図である。
【図４】本考案の図１の第１信号端子組立体と第１電源端子組立体とを説明する詳細構造図である。
【図５】本考案の図１の差込ソケットを説明する上面図である。
【図６】本考案の図１の差込ソケットを説明する斜視図である。
【図７】本考案の図１の差込ソケットを説明する側面図である。
【図８】本考案の図１の差込ソケットの差込ソケット下筐体を説明する上面図である。
【図９】本考案の図１の第２信号端子組立体と第２電源端子組立体とを説明する詳細構造模式図である。
【図１０】本考案の図１の差込ソケットを説明する別の側面図である。
【考案を実施するための形態】
【００１２】
本考案の目的、特徴及び効果を十分に理解してもらうため、ここで、添付の図面を参照して、下記の具体的な実施形態により、後述のように本考案を詳細に説明する。
【００１３】
本考案において、「１つ」または「１個」は、本文に記載されたユニット、エレメント及びコンポーネントを記述するために使用されるものである。これは単に説明の便宜上のためのものであり、なおかつ本考案の範疇に対して一般的な意義を与えるためのものである。従って、別段の意味が明記されていない限り、このような記述は、１個、少なくとも１個を含み、かつ単数形は、複数形をも含むものと理解するべきである。
【００１４】
本考案において、「備える」、「含む」、「有する」、「含有する」という用語、または他のいかなる類似の用語は、非排他的な包含関係をカバーするように意図される。例を挙げて言えば、複数の要件を含有するエレメント、構造、製品または装置は、本文に列挙されたそれらの要件だけに限定されることは必須でなく、明示的には列挙されていないまたは本来備わっているはずの他の要件が、そのようなエレメント、構造、製品または装置に含まれてもよい。このほか、反対の明確な説明がない限り、「または」という用語は、排他的な「または」ではなく、包括的な「または」を意味することが意図されている。
【００１５】
本考案の一実施形態の電源電極構造を有するフローティングコネクタの立体概略図である図１を参照する。図１において、電源電極構造を有するフローティングコネクタ１０は、差込プラグ１２と、差込ソケット１４とを備える。一実施形態において、差込プラグ１２は、第１回路板（不図示）と接続することができ、差込ソケット１４は、第２回路板（不図示）と接続することができる。第１回路板及び第２回路板は、差込プラグ１２が差込ソケット１４に差し込まれた後に、第１回路板と第２回路板との間で信号と電源の伝達を行うことができる。
【００１６】
図２と図３を併せて参照する。図２は、本考案の図１の差込プラグを説明する上面図であり、図３は、本考案の図１の差込プラグを説明する側面図である。差込プラグ１２は、差込プラグ台座体１２２と、接続ヘッド１２４と、第１信号端子組立体１２６と、第１電源端子組立体１２８と、固定部材１２１０とを有する。
【００１７】
差込プラグ台座体１２２は接続ヘッド１２４と接続されて収容空間ＳＰが形成される。本実施形態において、差込プラグ台座体１２２及び接続ヘッド１２４は、長矩形状であることを例として説明するが、他の実施形態においては、このような形状に限定されるものではなくてもよい。接続ヘッド１２４は、差込プラグ台座体１２２から突出する。接続ヘッド１２４及び差込プラグ台座体１２２は、中空体であるため、差込プラグ１２に収容空間ＳＰを提供することが可能となる。
【００１８】
別の実施形態において、差込プラグ台座体１２２には、蓋体（不図示）を設置するために、さらに係止溝１２１２が形成される。また、別の実施形態において、係止溝１２１２は、接続ヘッド１２４に形成されてもよい。
【００１９】
本考案の図１の第１信号端子組立体と第１電源端子組立体とを説明する詳細構造図である図４を併せて参照する。第１信号端子組立体１２６と第１電源端子組立体１２８とは、収容空間ＳＰの内壁周縁に設置される。第１電源端子組立体１２８は、第１信号端子組立体１２６の両側に設置され、かつ固定部材１２１０は、差込プラグ台座体１２２の両側に設置され、差込プラグ台座体１２２を第１回路板に設置することが可能である。
【００２０】
さらに、第１信号端子組立体１２６は、第１端１２６２と、第２端１２６４とをさらに含む。第１端１２６２は、信号を伝送するために、第１回路板に接続される。第１電源端子組立体１２８は、第５端１２８２と、第６端１２８４とをさらに含む。第５端１２８２は、電力を受信するか、または接地されるために、第１回路板に接続されるように供される。その内、第１信号端子組立体１２６と第１電源端子組立体１２８とは、複数個の信号端子を有する。別の実施形態において、第１電源端子組立体１２８の複数の電源端子のうちの１つは、固定部材１２１０に接続される。
【００２１】
このほか、収容空間ＳＰにおいて、第１電源端子組立体１２８と第１信号端子組立体１２６との間は、電源干渉を回避するように、さらに互いにある距離離隔されている。
【００２２】
図５〜図１０を併せて参照する。図５は、本考案の図１の差込ソケットを説明する上面図であり、図６は、本考案の図１の差込ソケットを説明する斜視図であり、図７は、本考案の図１の差込ソケットを説明する側面図であり、図８は、本考案の図１の差込ソケットの差込ソケット下筐体を説明する上面図であり、図９は、本考案の図１の第２信号端子組立体と第２電源端子組立体とを説明する詳細構造模式図であり、図１０は、本考案の図１の差込ソケットを説明する別の側面図である。
【００２３】
図１において、差込ソケット１４は、差込ソケット上筐体１４１と、差込ソケット下筐体１４２と、接続スロット１４４と、第２信号端子組立体１４６と、第２電源端子組立体１４８と、係合部材１４１０と、舌板１４１２とを有する。
【００２４】
差込ソケット上筐体１４１と差込ソケット下筐体１４２とが接続される。ここで、差込ソケット上筐体１４１及び差込ソケット下筐体１４２は、長矩形状を例として説明するが、他の実施形態においては、差込プラグ１２に対応できれば、このような形状に限定されるものではなくてもよい。本実施形態において、差込ソケット上筐体１４１と差込ソケット下筐体１４２との間には、第２信号端子組立体１４６によりフローティング接続を生成し、差込ソケット下筐体１４２が固定された場合、差込ソケット上筐体１４１は、第１方向ＦＦＤと第２方向ＳＦＤとに移動することができる。また、差込プラグ１２が差込ソケット上筐体１４１に差し込まれるとき、第２信号端子組立体１４６に変形を生じさせることで、差込ソケット上筐体１４１は、差込ソケット下筐体１４２におけるフローティングのおかげで、フローティング移動を行うことができる。係合部材１４１０によって差込ソケット上筐体１４１を差込ソケット下筐体１４２に位置制限させることで、差込ソケット下筐体１４２に差込ソケット上筐体１４１に相対応するフローティング空間ＦＳＰを生じさせることについては、図８を参照されたい。
【００２５】
図７に示すように、差込ソケット下筐体１４２には、第２信号端子組立体１４６を位置決めするための信号端子位置決め凹溝１４６３が形成され、及び差込ソケット下筐体１４２には、第２電源端子組立体１４８を位置決めするための電源端子位置決め凹溝１４８１が形成される。
【００２６】
接続スロット１４４は、差込プラグ１２の接続ヘッド１２４に対応して設置される。接続スロット１４４は、舌板１４１２を収容するために、差込ソケット上筐体１４１に形成される。
【００２７】
図９を併せて参照すると、第２信号端子組立体１４６と第２電源端子組立体１４８とは、舌板１４１２の両側に設置される。第２信号端子組立体１４６は、それぞれ複数個の信号端子を有し、かつ第２信号端子組立体１４６は、弾性変形可能な形状を有している。第２信号端子組立体１４６の設置方式は、図１０の模式図を参照することができる。
【００２８】
第２信号端子組立体１４６は、第３端１４６２と、第４端１４６４とをさらに含む。第３端１４６２は、信号を伝送するために、第２回路板に接続され、また、第４端１４６４は、第２端１２６４に電気的に接続され、及び第２電源端子組立体１４８は、第７端１４８２と、第８端１４８４とをさらに含む。第７端１４８２は、第２回路板に接続されるように供され、また、第８端１４８４は、第６端１２８４に電気的に接続される。その内、第２信号端子組立体１４６は、複数個の信号端子を有し、第２電源端子組立体１４８は、複数個の電源端子を有する。なお、第２電源端子組立体１４８は、第１電源端子組立体１２８に対応して設置され、第２信号端子組立体１４６は、第１信号端子組立体１２６に対応して設置される。
【００２９】
係合部材１４１０によって差込ソケット上筐体１４１を差込ソケット下筐体１４２に位置制限させる。係合部材１４１０の材質は、係合の強度を高めるために、金属部材を選用することができる。
【００３０】
差込プラグ１２が差込ソケット１４に差し込まれた後に、接続ヘッド１２４と接続スロット１４４との間に、第１信号端子組立体１２６を第２信号端子組立体１４６に電気的に接続させ、第１電源端子組立体１２８を第２電源端子組立体１４８に電気的に接続させ、電源と信号を伝送するために用いられる。
【符号の説明】
【００３１】
１０…電源電極構造を有するフローティングコネクタ
１２…差込プラグ
１２２…差込プラグ台座体
１２４…接続ヘッド
１２６…第１信号端子組立体
１２６２…第１端
１２６４…第２端
１２８…第１電源端子組立体
１２８２…第５端
１２８４…第６端
１２１０…固定部材
１２１２…係止溝
１４…差込ソケット
１４１…差込ソケット上筐体
１４２…差込ソケット下筐体
１４４…接続スロット
１４６…第２信号端子組立体
１４６２…第３端
１４６４…第４端
１４６３…信号端子位置決め凹溝
１４８…第２電源端子組立体
１４８２…第７端
１４８４…第８端
１４８１…電源端子位置決め凹溝
１４１０…係合部材
１４１２…舌板
ＳＰ…収容空間
ＦＦＤ…第１方向
ＳＦＤ…第２方向
ＦＳＰ…フローティング空間
【図１】
0003231921.tif 000003
【図２】
0003231921.tif 000004
【図３】
0003231921.tif 000005
【図４】
0003231921.tif 000006
【図５】
0003231921.tif 000007
【図６】
0003231921.tif 000008
【図７】
0003231921.tif 000009
【図８】
0003231921.tif 000010
【図９】
0003231921.tif 000011
【図１０】
0003231921.tif 000012